(57)【要約】      （修正有）【課題】吸水性の表地と、防水性の中間袋層と、摩擦性で防水性の裏地とより成る、装飾性高く且つ機能性を備えた吸水マットを提供する。【解決手段】機能性吸水マットは、一枚の吸水性で装飾性の高い表地２と、一枚の防水性合成樹脂の布体６に、整然と配列された幾何学的模様又は絵画的模様の同質樹脂の無数の小突起を溶着した防水性且つ摩擦性の裏地布体とを、前記突起溶着面が底表面と成る様に、その一部を残して縫合し、この未縫合部分に、ジッパー等の開閉部片を装着してカバー部を構成し、別途に形成された防水性のリサイクル発泡性合成樹脂１０から成るクッション材より成る中間防水層３を、出し入れ自在に内層する。【選択図】図１
0003181714.tif 000002
【実用新案登録請求の範囲】
【請求項１】
吸水性の表生地と、防水性の中間層と、防水性の滑り止め裏生地との三層より成り、前記表生地と裏生地とは、其の三方夫々を縫合すると共に、残り一方は、前記中層心材袋地を出し入れ自在にジッパー付生地で縫合した事を特徴とする機能性吸水マット。
【請求項２】
前記吸水性表生地は、純ポリエステル布地又はポリエステルとナイロンとの混紡布地である事を特徴とする請求項１記載の機能性吸水マット。
【請求項３】
前記吸水性表生地は、防水性ナイロン又ポリエチレンで裏張りされている事を特徴とする請求項１又は２に記載の機能性吸水マット。
【請求項４】
前記防水性の中間層は、防水性ナイロン又はポリエチレン袋で内包されたリサイクル発泡性合成樹脂である事を特徴とする請求項１乃至３何れかに記載の機能性吸水マット。
【請求項５】
前記防水性滑り止めの裏生地は、塩化ビニール布生地上に、整然と整列されるか又は絵画状に配列された塩化ビニール樹脂の無数の小突起を備えている事を特徴とする請求項１乃至４何れかに記載の機能性吸水マット。
【請求項６】
前記吸水性表生地は、無色又は着色或いは模様若しくは絵柄が施されている事を特徴とする請求項１乃至５何れかに記載の機能性吸水マット。
【請求項７】
前記防水性ナイロン又はポリエチレン袋に内包されたリサイクル発泡性合成樹脂は、リサイクル発泡性ウレタン若しくは此れに均等な物質である事を特徴とする請求項４記載の機能性防水マット。
【考案の詳細な説明】
【技術分野】
【０００１】      本考案は、風呂場、台所、トイレ等での水分、液体異物等の床面への飛散、付着、滲出、汚染等を防止する為の機能性吸水マットに関する。
【技術的背景】
【０００２】      従来、此の様な吸水マットは多数提案され、開示され、流通されている。
例えば、バスマット、台所マット、トイレマット等では、水分を吸収する必要があるので、表層には吸水性の優れた布又は紙或いはプラスチックス等を使用し、その下の中間層には、吸収された水分等を充分保湿する高吸収性ポリマー等の吸収層を重層し、更にその下側には、此れ等吸水された水分を床面上に滲出しない様に防水するポリエチレンの如き防水性裏生地の参層から成るマットや、合成樹脂、合成紙等のフィルムに絵柄等を印刷し、其の上を透明な被膜でコートした透明コート層と、種々な滑り止め樹脂を塗着、装着、溶着した合成樹脂層とより成る台所マットや、更には、防水マットと此れを出し入れするカバー部素材とより成り、前記カバー部素材には指圧玉を、其の裏材には非透水性の素材を夫々装着したマットや、古新聞を詰め込んだ中間袋部を其のカバー部分に出し入れ自在に構成したバスマット等、多種、多様の商品が提案され、開示されている。
【特許文献１】  実用新案登録第３１６２１７９号
【特許文献２】  特開平１１−２６６９９５
【特許文献３】  特開２００８−１８８３９４
【特許文献４】  実用新案登録第３０６５４４４号
【考案の開示】
【考案が解決しようとする課題】
【０００３】      本考案も、この様な吸水性マットに関するものであって、使用する季節に応じ、又使用時の環境雰囲気に応して機能的に使い分け、使用者に対するくつろぎ効果や、癒し効果を高揚させると同時に、収納管理や店頭陳列時に其の占有空間を拡大しない利便性や、良好な吸水性並びに防水性を約束する装飾性高き防水マットを提供する事を課題とするものである。【０００４】      斯くの如き本考案の課題に対し上記特許文献１の技術は、その吸水、保水、防水の参層構造の概念は別として、考案の客体が古新聞の吸水性を利用した使い捨て型の吸水マットである。【０００５】      一方、特許文献２の技術は、主として台所等で使用する油等の飛散、汚染防止用のマットに関し、主として合成樹脂を使用する種々な滑り止め手段の施されたマットに関するものであり、其の滑り止め機構の採用の技術に於いて本考案の一部に類似するが、夫々の使用目的に於いて異なり、滑り止め面の構造もやや複雑で、生産原価も高価とならざを得ないと推察される。【０００６】      更に又、特許文献３及び４には、夫々吸水性を有する吸水マットを主体とする袋体若しくはカバーを備えたマットが開示されている。
此の二者の内前者は、その袋部に古新聞を、後者は、其のカバー部に吸水性のタオルを夫々入れると同時に、此のカバー部が、網材に指圧玉を取り付けた表材と、非透水性の合成樹脂より成る裏材とより成る事を特徴としており、何れも本考案のリサイクル発泡性廃材を内包する防水性中間袋芯材を積層した構成とは異質の物であり、何れもクッション性と意匠性、装飾性を欠徐する物である。
【課題を解決する為の手段】
【０００７】      本考案は、この様な従来品の経済的、機能的不適正を削除、改善して、インテリアとしても使用出来ると同時に、運搬、保管、陳列等に際しても、極めて省スペース的である吸水性、耐漏水性高き機能性マットを提供する事を目的とするものである。
【０００８】      斯かる課題達成の為に本考案に於いては、少なくとも吸水性生地の表地と、防水性のリサイクル発泡合成樹脂中間袋層と、防水性で摩擦性でもある裏地との３層から構成し、場合に依っては、前記吸水性表地の内面に更に防水性裏地を装着し、前記吸水性表地と防水性並びに摩擦性裏生地とを、適当なジッパー付布地を介して、前記中間袋層が出し入れ自在に縫合し、吸水性、防水性、並びに摩擦性を向上させた事を一特徴とするものである。
【０００９】      又、前記表地及び裏地より成る吸水ー防水カバーを、一種の機能性布体として多種、多様の装飾性豊なカバーとして準備すると共に、必要最小限の前記中間袋層を用意して、其の使用配置場所の雰囲気或いは季節、天候条件等の変化に応じて取り替え自在とし、吸水効果の向上に加え、入浴者、使用者の一種の精神的癒し効果を与えるインテリャとしての機能を付与した事を他の一特徴とする。
【００１０】      更に又、本考案の他の特徴は、其の防水裏地に設けられた合成樹脂小突起の意匠性、装飾性高き整然とした幾何学的配置或いは模様、更には絵画的模様にあり、斯くの如き無色或いは有色の小突起面は、物理的摩擦効果と、装飾的、美的効果を与える事に役立っている。
【考案の効果】
【００１１】      上記の如き本考案の構成及び作用に依り本考案の効果は、以下の如くである。
（１）  吸水性表地がポリエステル１００％の布地、又は、此れとナイロンの混紡生地であるから、足触り、吸水性共に良好である。
（２）  模様付け又は色付けされているので、インテリャ性が高い。
（３）  少なくとも２層の防水層を備えているので、床面の湿潤防止は完全である。
（４）  中間防水袋層のリサイクル発泡性合成樹脂の作用で、クッション性が良好で心地良い。
（５）  出し入れ可能な単一中間防水袋の利用でありながら、多種類のカバーを利用出来るので、種々なインテリャ効果及びいやし効果が大きい。
（６）  容量の大きい中間妨水層一個だけの準備で、多種類の小容積の装飾性カバーを使用出来るので、店頭陳列、保管、輸送時の省スペースの利益を享有する事が出来る。
（７）  裏地の滑り止め効果及び装飾効果が大きい。
（８）  簡単に洗濯が出来る
以下に図面を参照して、本考案の好個の実施例を説明する。
【実施例】
【００１２】      本考案のバスマット（１）は、図１乃至図３に示す如く、吸水性の表地（２）と、ナイロン等の如き防水布袋（３）内に封入されたリサイクル発泡性合成樹脂、例えば発泡性ポリウレタン（１０）のクッション材より成る中間防水層（３）と、其の下層の防水性裏地例えばポリ塩化ビニール布地（４）とより成り、此の裏地上には同質の塩化ビニール合成樹脂の小突起（７）が整然と幾何学的に又は絵画的に整列されるかして、此のマットの滑り止めとして溶着されている。【００１３】      此の様な積層体の内、前記表地（２）と裏地（４）とは、適当な表、裏縁布（８）、（９）と共に、夫々の長手方向及び幅方向の三方を縫合密閉され、一方の長手方向縁部（５）のみには、同一又は別途の縁布と共に、開閉自在にジッパー（Ｊ）が縫い付けられている。【００１４】      斯くの如き構成に於ける表地（２）は、ポリエステル１００％又はポリエステルとナイロンの混紡布とより成る足触り良く且つ吸水性良好な毛羽立ち布が使用され、場合に依っては、図４に示す如く、ポリ塩化ビニール布体の如き防水性フィルム又は布体（１２）で被覆して使用する事も出来る。【００１５】      更に又、その内側の中間防水層（１０）は、例えば防水性のナイロン外被（１１）内に発泡性ポリウレタンの如きクッション材の廃材を利用して、湯上りの足拭き時の床面との接触を和らげるクッション材として利用すると共に、ナイロン外被（１１）の防水性に依って表地（２）で吸収した水分を床面へと滲出するのを防止する。【００１６】      此の様な防水的配慮に加え、更にその下部の裏地の生地を、ポリ塩化ビニールの如き防水性布（６）で構成して体重等に依る床面への水分の滲出、漏洩防止を完全化し、床面との滑動を防止する為に、適当な摩擦剤を塗布、積層又は溶着する。【００１７】      本考案に於いては、此のバスマットの装飾性、意匠性を高める為に、適当な色彩に着色されたポリ塩化ビニール樹脂の小粒子を、規則正しく整然と、例えば縦横無尽に、円形又は渦巻状に、或いは各種物品、動植物等の形状に溶着して、夫々の摩擦性を高めると同時に、意匠性、装飾性を向上させる。【００１８】      斯くて本考案の吸水性マット特にバスマット等は、其の意匠性、機能性が多大に付加され、使用時の吸水性、防水性、足触り、肌触り等が良好で、中間防水層、裏地防水層の少なくとも２層、［場合に依っては表地裏に溶着又は縫合された防水層の３層］に依って、床面への水分滲出は完全に防止され、又中間防水層のクッション性に依って、極めて足触りの良い防水マットを提供する。【００１９】      更に又、クッション性の防水心材中間層一個を用意するのみで、準備されている多数の薄い様々な装飾性マットカバーの内から、季節に応じ、好みに応じた柄物マットを、其の時々の条件に応じて選択的にに使用できるので、入浴者等の精神的癒し効果、浴場内のインテリャ効果等の向上に役立ち、商品マットの店頭陳列  保管、輸送時等の省スペースの利益も享受する事が出来る。
【図面の簡単な説明】
【００２０】
【図１】  本考案の機能性吸水マットの一部切断斜視図である。
【図２】  図１のマットの裏面斜視面である。
【図３】  本考案の中間防水層の一部切断斜視図である。
【図４】  本考案の構成部片の分解図である。
【符号の説明】
【００２１】  １  本考案のバスマット
２  吸水性表地
３  中間防水層
４  防水性裏地
５  一方の長手方向縁部
６  ポリ塩化ビニール防水性布体
７  滑り止め突起
８  裏縁取り布
９  表縁取り布
１０  リサイクル発泡性合成樹脂
１１  防水性のナイロン外被
１２  防水性フィルム
【図１】
0003181714.tif 000003
【図２】
0003181714.tif 000004
【図３】
0003181714.tif 000005
【図４】
0003181714.tif 000006